(57)【特許請求の範囲】
【請求項１】
一枚のブランクシートから一体的に打ち抜かれた箱体形成片からなり、この箱体形成片には、互いに平行に連接された側面と、上記側面の一端縁部から一体に形成されその側面の側方に突出する摘み片と、上記側面に形成され上記摘み片の基端部両端に連続する一対の破断線と、上記摘み片を上記側面に折り返した状態で上記摘み片が形成された上記側面に糊付けされる糊付片と、上記糊付片の上記摘み片の両側付近に位置する部分に形成された切込線が設けられていることを特徴とする包装用箱。
【請求項２】
上記摘み片は、上記側面の上記摘み片の折り返し方向長さよりも短く、上記糊付片の上記摘み片の折り返し方向幅よりも長く形成されていることを特徴とする請求項１記載の包装用箱。
【請求項３】
上記糊付片は上記摘み片の外側に糊付けされ、上記糊付片の上記摘み片折り返し方向端縁部には、上記つまみ片が露出する凹部が設けられていることを特徴とする請求項１または２記載の包装用箱。
【請求項４】
上記摘み片の基端部両端に連続する一対の破断線は、この包装用箱の一側面からそれに連続する他の側面にかけて形成されていることを特徴とする請求項１または２記載の包装用箱。
【発明の詳細な説明】
【０００１】
【発明の属する技術分野】
この発明は、菓子やその他の比較的小形の商品を包装する包装用箱に関する。
【０００２】
【従来の技術】
従来、例えば小形の乾燥した菓子等は、ビニール袋やアルミコーティングされたビニール袋に密閉され、さらにこの袋を紙製の包装用箱に入れて包装されている。このような包装用箱には、一側面等に開封用の一対の破断線が形成され、一対の破断線に挟まれた帯状部の端部にはコの字形の切断線で側面と切り離された摘み部が設けられている。帯状部を形成する破断線は、互いの間隔が比較的狭くそして互いに平行に形成されたものの他、互いの間隔が徐々に広がって一側面内で繋がり、側面に開口を形成するもの等がある。
【０００３】
このような包装用箱の使用方法は、まずコの字形の切断線で区切られた摘み部を摘んで、破断線の方へ引きながら手を移動させる。これにより、摘み部に連続して破断線が切られ、一対の破断線により包装用箱の側面が分割される。また、破断線が一側面の中央部分を囲んでいるものは、包装用箱の側面中央に開封用開口部を形成する。
【０００４】
【発明が解決しようとする課題】
上記従来の技術の場合、摘み部が破断線のどちらの端部に形成されているのかわかりにくく、摘み部が小形であるため、保持しずらいと言う問題があった。
【０００５】
この発明は上記従来の問題点に鑑みてなされたものであり、簡単な構造で容易に開封することができる包装用箱を提供することを目的とする。
【０００６】
【課題を解決するための手段】
この発明は、一枚のブランクシートから一体的に打ち抜かれた箱体形成片からなり、この箱体形成片には、互いに平行に連接された側面と、上記側面に一体に形成されこの側面の側方に突出する摘み片と、上記側面に形成され上記摘み片の基端部両端に連続する一対の破断線と、上記摘み片が形成された上記側面の表面に上記摘み片を上記側面に折り返した状態で糊付けされる糊付片が設けられている。そして、上記糊付片の上記摘み片の両側付近に当接する部分に、切込線が設けられている。
【０００７】
また、上記摘み片は、上記側面の上記摘み片の折り返し方向長さよりも短く、上記糊付片の上記摘み片の折り返し方向幅よりも長く設けられている。上記糊付片は上記摘み片の外側に糊付けされ、上記糊付片の上記摘み片の折り返し方向端縁部には、上記つまみ片が露出する凹部が設けられている。さらに、上記摘み片の基端部両端に連続する一対の破断線は、この包装用箱の一側面からそれに連続する他の側面にかけて形成れている。
【０００８】
この発明の包装用箱は、開封用の摘み片が一側面に折り重ねられた状態で設けられ、比較的大きな形状である。この包装用箱を開封するときは、糊付片の側縁部から露出している摘み片の先端を引き起こし、糊付片の一部を破断して摘み片を解放する。そして摘み片を保持して、包装用箱の側面に形成された破断線の方向へ引きながら移動させる。これにより、摘み片に連続して破断線が破れ、側面が分割され開封される。
【０００９】
【発明の実施の形態】
以下、この発明の実施形態について図面に基づいて説明する。図１はこの発明の第一実施形態の包装用箱１０を示したもので、包装用箱１０は、厚紙等の一枚のブランクシートを打ち抜いて形成された箱体形成片１２を組み立てて設けられている。
【００１０】
箱体形成片１２は、側面１４，１６，１８，２０が、互いに平行に連接して形成されている。さらに側面２０の側縁部には、包装用箱１０の組立状態で側面１４の外側に糊付けされる糊付片２２が設けられている。そして、側面１４，１６，１８，２０、糊付片２２は、各々折罫線２４，２６，２８，３０で区切られている。
【００１１】
側面１４，１６，１８，２０には、各側面の連設方向に沿って、一対の破断線３２が設けられている。一対の破断線３２は互いに平行であり、各側面の中心よりも一方の端部寄りの位置を通過して設けられている。糊付片２２には、破断線３２の延長線上に、糊付片２２の両側縁部を切り残して一対の切込線３４が形成されている。そして糊付片２２を側面２０と区切る折罫線３０には、一対の切込線３４の内側に位置する部分に切込線３６が形成されている。また、糊付片２２の側縁部２２ａには、切込線３４に対向する部分に、Ｖ字形の切欠部３５が各々形成されている。
【００１２】
側面１４の側縁部１４ａには、一対の破断線３２の延長上に側面１４の側方へ突出する摘み片３８が一体に設けられている。摘み片３８は矩形の突起であり、側面１４と折罫線４０で区切られている。
【００１３】
側面１６の、隣接する側面１４，１８の連接方向に対して平行に位置する端部には、蓋片４２が設けられている。蓋片４２は、折罫線４４で側面１６と区切られ、蓋片４２には、さらに差込片４６が折罫線４８で区切られて形成されている。そして、折罫線４８の両側には切込線５０が各々設けられている。そして、側面１４の端部には、蓋片４２と並んでフラップ５２が設けられ、フラップ５２は折罫線５４で側面１４と区切られている。そして、フラップ５２の折罫線２４と反対側には段部５６が形成されている。側面１８の端部には、蓋片４２と並んでフラップ５８が設けられ、フラップ５８は折罫線６０で側面１８と区切られている。そして、フラップ５８の折罫線２６と反対側には段部５６が形成されている。
【００１４】
側面１６の、蓋片４２と反対側の端部には、蓋片６２が設けられている。蓋片６２は、折罫線６４で側面１６と区切られ、蓋片６２には、さらに差込片６６が折罫線６８で区切られて形成されている。そして、折罫線６８の両側には切込線７０が各々設けられている。側面１４の他端部には、蓋片６２と並んでフラップ７２が設けられ、フラップ７２は折罫線７４で側面１４と区切られている。そして、フラップ７２の折罫線２４と反対側には段部５６が形成されている。側面１８の端部には、蓋片６２と並んでフラップ７６が設けられ、フラップ７６は折罫線７８で側面１８と区切られ、フラップ７６の折罫線２６と反対側には段部５６が形成されている。
【００１５】
次にこの実施形態の包装用箱１０の組立方法について説明する。なお、ここでは図１がこの包装用箱１０の紙面表面側を見たものであり、図１において紙面表面側が凸になる折り方を正折り、そして紙面裏面側が凸になる折り方を逆折りと称する。
【００１６】
まず、箱体形成片１２の摘み片３８を、折罫線４０で逆折りする。次に、糊付片２２の裏面に糊を塗布する。そして例えば、折罫線２４を正折りし、次に折罫線２８を正折りし、糊付片２２の裏面を側面１４の表面に糊付けする。このとき摘み片３８は、側面１４に折り返された状態で側面１４表面に押さえつけられ、側面１４の裏面が、糊付片２２の表面に接着されている。そして摘み片３８の先端は、図２に示すように糊付片２２の側縁部２２ａから露出している。
【００１７】
次に商品を収容し包装する工場等において、折罫線２４，２６，２８，３０を各々９０°に正折りして四角形の箱体にする。そして、折罫線７４，７８でフラップ７２，７６を正折りし、その後折罫線６４で蓋片６２を正折りし差込片６６を側面２０の内側に差し込む。この状態で、菓子等の商品が入れられたビニール袋８２をその中へ入れる。次に折罫線５４，６０でフラップ５２，５８を正折りし、その後折罫線４４で蓋片４２を正折りし差込片４６を側面２０の内側に差し込む。また必要に応じて、差込片４６，６６を側面１２の内側へ糊付けしても良い。
【００１８】
次に、包装用箱１０を開封するときは、まず図３に示すように側面１４に折り返され糊付片２２の側縁部２２ａから露出した摘み片３８を摘み、摘み片３８基端部の折罫線４０の方向へ向かって側面１４から引き起こす。すると、摘み片３８を覆っていた糊付片２２が、一対の切込線３４で破断される。破断された糊付片２２の一部は、図４に示すように摘み片３８の裏面に貼り付いている。これにより摘み片３８は、折罫線４０を中心に四角形の箱体から長く延出し保持しやすくなる。そして、摘み片３８を保持して反対の方向、つまり側面１４，１６，１８，２０の連設方向に沿って引く。このとき、摘み片３８に糊付けされている糊付片２２の一部は、切込線３６で側面２０と切断される。そして摘み片３８を移動させることにより破断線３２が切られ、包装用箱１０は二分割される。そして、二分割された包装用箱１０を外し、包装用箱１０の中に入れられていた商品入りのビニール袋８２を取り出す。
【００１９】
この実施形態の包装用箱１０によれば、簡単な作業工程により組み立てられ、開封用の摘み片３８が長く形成されているため、保持しやすく、容易に包装用箱１０を開封することができる。摘み片３８は、包装用箱１０の外形に沿って折り曲げられているため、運搬や陳列の際に支障とならず、便利である。
【００２０】
なお、この実施形態の包装用箱１０は、図５に示すように摘み片８４が、一対の破断線３２の幅よりも広い円形状に設けられてもよい。そして、糊付片２２には、一対の破断線３２が折罫線３０を横切って糊付片２２に形成され、糊付片２２の側縁部２２ａには、一対の破断線３２の内側に、凹部８６が形成されている。これによれば、摘み片８４が幅広に設けられ、凹部８６が形成されているため摘みやすく、力を入れやすい。
【００２１】
次に、この発明の第二実施形態について図６に基づいて説明する。ここで、上述の実施の形態と同様の部材は同様の符号を付して説明を省略する。この実施形態の包装用箱８８は横置き形で、上面に位置する側面１６に開口を形成するものである。そして、包装用箱８８は厚紙等の一枚のブランクシートを打ち抜いて形成された箱体形成片８９を組み立てて設けられている。
【００２２】
箱体形成片８９は、側面１６に、折罫線４４，６４の少し内側で折罫線４４，４６に対して平行な一対の破断線９０が設けられている。側面１４には、一対の破断線９０に連続する破断線９２が設けられ、破断線９２は側面１４の折罫線２４上で破断線９０に連続し、側面１４のほぼ中央に向かって互いに近づくように折れ曲がり、そして側面１４の中央部から側縁部１４ａにかけて互いに平行に形成されている。そして、側縁部１４ａには、一対の破断線９２の延長上に側面１４の側方へ突出する摘み片９４が一体に設けられている。摘み片９４は矩形の突起であり、側面１４と折罫線９６で区切られている。
【００２３】
糊付片２２には、折罫線３０の少し内側に沿って折罫線３０の中心付近に、切込線９８が設けられている。切込線９８の両側には、折罫線３０から糊付片２２の側縁部２２ａに達して、側縁部２２ａに近づくにつれ互いに近づくように傾斜する一対の切込線１００が台形状に形成されている。一対の切込線１００の幅は、摘み片９４より広く形成されている。
【００２４】
次にこの実施形態の包装用箱８８の組立方法について説明する。なお、ここでは図６がこの包装用箱８８の紙面表面側を見たものであり、図６において紙面表面側が凸になる折り方を正折り、そして紙面裏面側が凸になる折り方を逆折りと称する。
【００２５】
まず、箱体形成片８９の摘み９４を、折罫線９６で逆折りする。次に糊付片２２の裏面の、切込線１００の外側部分に糊を塗布する。そして折罫線２４，２８を正折りし、糊付片２２裏面を側面１４の表面に糊付けする。このとき、摘み片９４は、糊付片２２により側面１４に押さえつけられている。そして摘み片９４の先端は、糊付片２２の側縁部２２ａから露出している。
【００２６】
次に商品を収容し包装する工場等において、折罫線２４，２６，２８，３０を各々９０°に正折りして四角形の箱体にする。そして、フラップ７２，７６を正折りし、その後蓋片６２を正折りし差込片６６を側面２０の内側に差し込む。この状態で、菓子が入れられたビニール袋８２等を入れる。次にフラップ５２，５８を正折りし、その後蓋片４２を正折りし差込片４６を側面２０の内側に差し込む。
【００２７】
次に、包装用箱８８を開封するときは、まず側面１４に折り返されて糊付片２２の側縁部２２ａから露出している摘み片９４を摘み、摘み片９４基端部の折罫線９６の方向へ向かって側面１４から引き起こす。すると、摘み片９４を覆っていた糊付片２２が、一対の切込線１００で破断される。これにより摘み片９４は、折罫線９６を中心に四角形の箱体から長く延出し保持しやすくなる。そして、摘み片９４を保持して反対の方向、つまり側面１４，１６の連設方向に沿って引く。そして摘み片９４を移動させることにより破断線９２，９０が切られ、包装用箱８８の側面１６は大きく開口される。そして、側面１６に開口された部分から、包装用箱８８の中に入れられていた商品を取り出す。
【００２８】
この実施形態の包装用箱８８によれば、上記実施形態と同様の効果を有し、摘み９４が大形であるため保持しやすく、簡単に側面１６を開口させ、内容物を取り出すことができる。
【００２９】
なお、この発明の包装用箱は、上記各実施形態に限定されるものではなく、摘み片が、糊付片の幅よりも短いものでも良く、糊付け片に摘み片が隠れることにより外観的に好ましい形状にすることができる。また、箱体の形状や破断線の位置等自由に変更可能である。収容する商品の種類も菓子以外に何でも良い。
【００３０】
【発明の効果】
この発明の包装用箱は、簡単な作業工程により組み立てられ、開封用の摘み片が長く形成されているため保持しやすく開封が容易である。したがって、高齢者や幼児等でも容易に開封することができる。
【図面の簡単な説明】
【図１】この発明の第一実施形態の包装用箱の展開図である。
【図２】この実施形態の包装用箱の側面図である。
【図３】この実施形態の包装用箱の摘み片を引き起こした状態を示す側面図である。
【図４】この実施形態の包装用箱の摘み片を引き起こして開封する状態を示す側面図である。
【図５】この実施形態の包装用箱の変形例を示す展開図である。
【図６】この発明の第二実施形態の包装用箱の展開図である。
【符号の説明】
１０  包装用箱
１２  箱体形成片
１４，１６，１８，２０  側面
２２  糊付片
３２  破断線
３４，３６，５０，７０  切込線
３５  切欠部
３８  摘み片
４２，６２  蓋片
４６，６６  差込片
５２，５８，７２，７６  フラップ
５６  段部
【図１】
0004680443.tif 000002
【図２】
0004680443.tif 000003
【図３】
0004680443.tif 000004
【図４】
0004680443.tif 000005
【図５】
0004680443.tif 000006
【図６】
0004680443.tif 000007